(57)【要約】【課題】  消毒時に別部材を用意することなく、中継ケーブルの両端側コネクタの電気接点部のシールを図り、消毒の手順も簡素化できるようにする。【解決手段】  内視鏡とプロセッサやその他の装置とを接続する内視鏡用中継ケーブルにおいて、中継ケーブル１の一端側コネクタ２は内視鏡に着脱可能に接続するとともに、他端側コネクタ３もその他の装置に着脱可能に接続し、中継ケーブル１の両端側の両コネクタ２，３同士をシール性を図って連結する。【選択図】  図１
2005278944.tif 000002
【特許請求の範囲】
【請求項１】
内視鏡とプロセッサやその他の装置とを接続する内視鏡用中継ケーブルにおいて、
中継ケーブルの一端側コネクタは内視鏡に着脱可能に接続するとともに、他端側コネクタもその他の装置に着脱可能に接続し、
中継ケーブルの両端側の両コネクタ同士をシール性を図って連結することを特徴とする内視鏡用中継ケーブル。
【請求項２】
前記中継ケーブルの一方のコネクタの外周側に円周溝を形成したソケット部を設け、他方のコネクタ側外周側にこのソケット部の円周溝に嵌合するプラグ部を設け、プラグ部のソケット部嵌合時にプラグ部外周にシール部材が密接することを特徴とする請求項１に記載の内視鏡用中継ケーブル。
【発明の詳細な説明】
【技術分野】
【０００１】
本発明は、内視鏡とプロセッサやその他の装置とを接続する内視鏡用中継ケーブルに関する。
【背景技術】
【０００２】
挿入部を体腔内へ挿入することにより、臓器などを診断したり、検査したりする内視鏡は、その先端部にＣＣＤなどの撮像手段を備え、この撮像手段を作動させ、得られた光電変換信号をビデオ信号に変換するプロセッサに接続されたり、内視鏡先端から光を照射するための光源装置に接続されたりしている。このように内視鏡とプロセッサなどの装置とを接続するには、中継ケーブルが使用されている。
【０００３】
内視鏡用中継ケーブルの従来例としては、長さの異なるケーブルを複数種類用意し、これらのケーブル群の中から任意に選択したケーブルにより各装置間を接続するようにしたものが知られている。例えば、光源装置に照明用プラグを備えた中間コネクタを接続し（プラグを差し込み）、この中間コネクタに内視鏡に一端側が接続されたケーブルの他端側を接続し、信号用のケーブルの一端側を中間コネクタに接続し、他端側をプロセッサに接続したものが知られている（特許文献１参照）。
【特許文献１】実開平３−３５５１２号公報（第１頁、図１）
【発明の開示】
【発明が解決しようとする課題】
【０００４】
体腔内へ挿入する内視鏡の使用にあたっては、使用後には院内感染などを防止するために、中継ケーブルも含めて消毒する。そのために、両端のコネクタ内部に設けた電気接点部に消毒液がかからないように、図４に示すように、両端のコネクタ１０１，１０２をシールするシール用器具１００を取付けた上で消毒をしていた。この従来の中継ケーブル２００は、例えば特許文献１に記載の「信号ケーブル８」に相当するものである。シール用器具１００は、２つのシール栓１００Ａ，１００Ｂをチェーン１００Ｃでつないだものである。図４において、シールを図る手段は、本願出願人が考案した例であり、公知例として知られているものではない。
【０００５】
シール用の別部材を用意して中継ケーブルを消毒するのは、手間がかかり、別部材の購入コストもかかるものであった。
【０００６】
本発明は、消毒時に別部材を用意することなく、中継ケーブルの両端側コネクタの電気接点部のシールを図り、消毒の手順も簡素化できる内視鏡用中継ケーブルを提供することを目的とする。
【課題を解決するための手段】
【０００７】
上述の目的を達成するため、本発明は、内視鏡とプロセッサやその他の装置とを接続する内視鏡用中継ケーブルにおいて、中継ケーブルの一端側コネクタは内視鏡に着脱可能に接続するとともに、他端側コネクタもその他の装置に着脱可能に接続し、中継ケーブルの両端側の両コネクタ同士をシール性を図って連結するものである。また、前記中継ケーブルの一方のコネクタの外周側に円周溝を形成したソケット部を設け、他方のコネクタ側外周側にこのソケット部の円周溝に嵌合するプラグ部を設け、プラグ部のソケット部嵌合時にプラグ部外周にシール部材が密接するものである。
【発明の効果】
【０００８】
本発明は、内視鏡とプロセッサやその他の装置とを接続する内視鏡用中継ケーブルにおいて、中継ケーブルの一端側コネクタは内視鏡に着脱可能に接続するとともに、他端側コネクタもその他の装置に着脱可能に接続し、中継ケーブルの両端側の両コネクタ同士をシール性を図って連結したものであるので、シール用の別部材を必要としないので、コストアップにならず、消毒手順も簡素化できる。また、シール性を図る手段として、中継ケーブルの一方のコネクタの外周側に円周溝を形成したソケット部を設け、他方のコネクタ側外周側にこのソケット部の円周溝に嵌合するプラグ部を設け、プラグ部のソケット部嵌合時にプラグ部外周にシール部材が密接するような構成としたので、構成も簡単なものとなり、電気接点部の機能を損ねることもない。
【発明を実施するための最良の形態】
【０００９】
以下に、本発明の好適な実施形態を図面を参照にして説明する。
【００１０】
図１に示す実施形態では、中継ケーブル１の一端側コネクタ２、例えば内視鏡側のコネクタ２と他端側コネクタ３、例えばプロセッサ側のコネクタ３同士をシール性を図って連結するように構成したものである。両コネクタ２，３の内部には電気接点部２Ａ，３Ａが設けられ、これら電気接点部２Ａ，３Ａが消毒時に消毒液に濡れないようにする必要がある。そのため、この実施形態では、プロセッサ側コネクタ３の外周側に円周溝４を形成したソケット部５を設けてあり、内視鏡側コネクタ２の外周側にこのソケット部５の円周溝４に嵌合するプラグ部６を設け、プラグ部６がソケット部５へ嵌合した時にプラグ部６の外周にシール部材７が密接するようになっている。前記ソケット部５の外筒部５Ａとソケット部５との間にもシール部材８を設けてある。さらにプラグ部６の外周に１又は２以上の突起９を形成し、この突起９に対応する穴１０をソケット部５に形成してある。ソケット部５に穴１０とつながったＬ字の溝を形成し、この溝内を突起９が通って回動させて穴１０に入り込むようにしてある。この突起９が穴１０に入り込んだ状態を外部からわかるような印１１、１２をつけておき、この状態でコネクタ２，３同士がシール性を図って連結されていることを確認できる。
【００１１】
図２に示す実施形態では、図１に示した実施形態がシール部材７をプラグ部６側に設けたのに対し、シール部材７をソケット部５側に設けてある。内視鏡側コネクタと内視鏡側受部材との着脱頻度の高い場合には、内視鏡側コネクタ２の内視鏡側受部材着脱力を小さくすることができるものである。なお、この実施形態の場合でも、プロセッサ側コネクタ３のシール部材７がコネクタ３をプロセッサに接続する際にプロセッサ側受部材に接触しないようにして着脱力を軽減することができるものである。
【００１２】
図３は、中継ケーブル１の全体を示し、両コネクタ２，３同士をシール性を図って連結した状態を示すものである。上述したように、コネクタ２，３の表面の印（丸印）同士が合致した状態は、突起９が穴１０に入り込んでシール性が図られ、かつ連結が外れない状態を示している。
【図面の簡単な説明】
【００１３】
【図１】本発明の実施形態を示す部分的断面の連結状態を示す図。
【図２】他の実施形態を示す部分的断面の連結状態を示す図。
【図３】連結状態を示す全体の正面図。
【図４】従来例を示す図。
【符号の説明】
【００１４】
１    中継ケーブル
２，３  コネクタ
２Ａ，３Ａ  電気接点部
４    円周溝
５    ソケット部
６    プラグ部
７，８  シール部材
【図１】
2005278944.tif 000003
【図２】
2005278944.tif 000004
【図３】
2005278944.tif 000005
【図４】
2005278944.tif 000006